(57)【要約】【課題】仕上げ品質の向上を図ることができる。【解決手段】ワイシャツを被せる胴立２と、胴立２の前後面に配設され該胴立２に圧着する一対の熱板７Ａ、７Ｂと、胴立２の上部に設けられワイシャツの襟部を沿わせる襟当て３と、ワイシャツの襟元を押さえる襟押え具４とを備えたワイシャツプレス機において、襟当て４が設けられた胴立２側と該胴立２に対応した熱板７Ａ間に設けられ、襟押え具４でワイシャツの襟元を押さえ付けた状態で、前見頃部のボタンホール側の下方部を胴立２に押し付ける押し付け装置３０と、押し付け装置３０を下方に移動させる押し付け装置作動用シリンダ６０とを備えている。【選択図】      図１
2005130903.tif 000002
【特許請求の範囲】
【請求項１】
ワイシャツを被せる胴立と、この胴立の前後面に配設され該胴立に圧着する一対の熱板と、胴立の上部に設けられワイシャツの襟部を沿わせる襟当てと、ワイシャツの襟元を押さえる襟押え具とを備えたワイシャツプレス機において、前記襟当てが設けられた胴立側と該胴立に対応した熱板間に設けられ、前記襟押え具でワイシャツの襟元を押さえ付けた状態で、前見頃部のボタンホール側の下方部を前記胴立に押し付ける押し付け装置と、この押し付け装置を下方に移動させてボタンホール側を伸ばす駆動手段とを備えたことを特徴とするワイシャツプレス機。
【請求項２】
胴立にワイシャツを被せ、胴立の上部に設けられた襟当てにワイシャツの襟元を襟押え具で押さえ、熱板でワイシャツを胴立に圧着させてプレス仕上げするワイシャツプレス方法において、ワイシャツの襟元を襟押え具で押さえた後、ワイシャツの前見頃のボタンホール側の下方部を押し付け装置で胴立に押し付け、次に押し付け装置を下方に移動させて前記ボタンホール側を下方に引っ張ってボタンホール側を伸ばし、その後に熱板でワイシャツを胴立に圧着させてプレス仕上げすることを特徴とするワイシャツプレス方法。
【発明の詳細な説明】
【技術分野】
【０００１】
本発明は、ワイシャツの胴部をプレス仕上げするワイシャツプレス機及びワイシャツプレス方法に関する。
【背景技術】
【０００２】
ワイシャツの胴部をプレス仕上げするワイシャツプレス機は、ワイシャツを被せる胴立と、この胴立に圧着する熱板を備えており、熱板でワイシャツを胴部に圧着させることによってプレス仕上げしている。この種のワイシャツプレス機として、例えば特許文献１が挙げられる。
【０００３】
【特許文献１】特許第２７７４６８９号公報
【発明の開示】
【発明が解決しようとする課題】
【０００４】
上記従来技術は、ワイシャツの胴部を熱板でプレス仕上げするのみである。ワイシャツの前見頃部は、ボタンが取付けられたボタン側とボタンを掛ける穴が設けられたボタンホール側とを有している。ワイシャツは洗濯によって縮むが、一般的にボタン側よりボタンホール側が縮み易い。従来、ボタンホールのピッチ間の縮みは僅かであるので、無視してプレス仕上げを行っていた。しかし、ボタンホールのピッチ間の縮みは少なくても、累積ピッチ誤差が非常に大きくなることがあった。上記従来技術は、このような問題に対して何ら配慮されていなかった。
【０００５】
本発明の課題は、仕上げ品質の向上を図ることができるワイシャツプレス機及びワイシャツプレス方法を提供することにある。
【課題を解決するための手段】
【０００６】
上記課題を解決するための本発明の請求項１は、ワイシャツを被せる胴立と、この胴立の前後面に配設され該胴立に圧着する一対の熱板と、胴立の上部に設けられワイシャツの襟部を沿わせる襟当てと、ワイシャツの襟元を押さえる襟押え具とを備えたワイシャツプレス機において、前記襟当てが設けられた胴立側と該胴立に対応した熱板間に設けられ、前記襟押え具でワイシャツの襟元を押さえ付けた状態で、前見頃部のボタンホール側の下方部を前記胴立に押し付ける押し付け装置と、この押し付け装置を下方に移動させてボタンホール側を伸ばす駆動手段とを備えたことを特徴とする。
【０００７】
上記課題を解決するための本発明の請求項２は、胴立にワイシャツを被せ、胴立の上部に設けられた襟当てにワイシャツの襟元を襟押え具で押さえ、熱板でワイシャツを胴立に圧着させてプレス仕上げするワイシャツプレス方法において、ワイシャツの襟元を襟押え具で押さえた後、ワイシャツの前見頃のボタンホール側の下方部を押し付け装置で胴立に押し付け、次に押し付け装置を下方に移動させて前記ボタンホール側を下方に引っ張ってボタンホール側を伸ばし、その後に熱板でワイシャツを胴立に圧着させてプレス仕上げすることを特徴とする。
【発明の効果】
【０００８】
押し付け装置でワイシャツのボタンホール側を胴部に押し付けて下方に引っ張る。これにより、洗濯により縮んだボタンホール側が伸ばされる。このように、ボタンホール側を伸ばした後にワイシャツの胴部のプレス仕上げをするので、前見頃の見栄えが良くなり、プレス仕上げ品質が向上する。
【発明を実施するための最良の形態】
【０００９】
本発明の一実施の形態を図１乃至図４により説明する。まず、従来技術とほぼ同じ構造部分を図１及び図２により説明する。胴部支持枠１上には胴部２が取付けられており、胴部２の上部には、ワイシャツの襟部を沿わせる襟当て３が設けられている。襟当て３にはワイシャツの襟元を押さえる襟押え具４が支軸５を中心として回動自在に設けられており、襟押え具４は襟押え具作動用シリンダ６によって前後方向に回転させられる。プレス位置にある胴部２の前後面に対向して一対の熱板７Ａ、７Ｂが配設されている。
【００１０】
胴部２の下方には、相対向して支持板１０、１０が垂直に配設されており、支持板１０、１０は支持枠１１に固定されている。支持板１０、１０には支軸１２が回転自在に支承されており、支軸１２には作動板１３が固定されている。支持板１０、１０の上方部には支軸１４Ａ、１４Ｂが回転自在に支承されており、支軸１４Ａ、１４Ｂには熱板作動レバー１５Ａ、１５Ｂが固定されている。熱板作動レバー１５Ａ、１５Ｂの上方部は、熱板７Ａ、７Ｂが固定された熱板ホルダ１６Ａ、１６Ｂに固定されている。熱板作動レバー１５Ａ、１５Ｂは共に相反する方向に移動可能、即ち熱板７Ａ、７Ｂが共に接近及び離反可能に、熱板作動レバー１５Ａ、１５Ｂの下端部は、連結レバー１７Ａ、１７Ｂを介して作動板１３に連結されている。即ち、連結レバー１７Ａ、１７Ｂには支軸１８Ａ、１８Ｂ及び１９Ａ、１９Ｂが固定されており、支軸１８Ａ、１８Ｂは作動板１３に回転自在に支承され、支軸１９Ａ、１９Ｂは熱板作動レバー１５Ａ、１５Ｂに回転自在に支承されている。支持板１０、１０には、熱板作動用シリンダ２５が回転自在に取付けられており、熱板作動用シリンダ２５の作動ロッドは作動板１３に回転自在に連結されている。
【００１１】
そこで、図１の状態より熱板作動用シリンダ２５の作動ロッドが突出すると、作動板１３は支軸１２を中心として時計回転方向に回転し、連結レバー１７Ａを左方に、連結レバー１７Ｂを右方に押す。これにより、熱板作動レバー１５Ａは支軸１４Ａを中心として時計回転方向に回転し、熱板作動レバー１５Ｂは支軸１４Ｂを中心として反時計回転方向に回転する。従って、熱板７Ａ、７Ｂは閉じる方向、即ち胴部２の方向に移動する。
【００１２】
図１１に示すように、胴部２の両側面には、襟押え具４の動きに連動して胴部２から左右に出没する張出し棒２６、２６が取付けられている。この張出し棒２６、２６は、胴部２の内部に設けた図示しないシリンダの先端に取付けられ、襟押え具４を前側に回動させて襟元を押さえた際、胴部２の両側から飛び出してワイシャツＹの両袖部を左右に拡張し、逆に襟押え具４の押さえが解除された時は、胴部２の内部に引き込まれるようになっている。
【００１３】
次に本実施の形態の特徴とする構造について説明する。図１及び図２に示すように、熱板７Ａの下方内側部には、ワイシャツのボタンホール側の下方部を押し付ける押し付け装置３０が配設されている。この押し付け装置３０は図４に示す構造となっている。
【００１４】
ベース板３１上には上方に伸びて相対向して配設されたローラ支持板３２、３２が固定されており、ローラ支持板３２、３２には、胴部２側に上下に２個のローラ軸３３、３４が固定され、熱板７Ａ側にも上下に２個のローラ軸３５、３６が固定されている。ローラ軸３３〜３６には、それぞれローラ３７〜４０が回転自在に支承されている。ローラ軸３４はローラ支持板３２、３２の外側に伸びており、この部分にブッシュ４１、４１が回転自在に支承されている。ブッシュ４１、４１には上方に伸びた回転レバー４２、４２が固定されており、回転レバー４２、４２には、ローラ３７の上方に配設されたゴム取付け板４３が固定されている。ゴム取付け板４３には、ゴム等よりなる弾性体４４が固定されている。回転レバー４２の外側にはばね受５０が固定されており、ベース板３１、ローラ支持板３２及びばね受５０のローラ軸３５、３６側にはボルト５１が上下動可能に垂直に配設されている。ローラ支持板３２とばね受５０間のボルト５１部分には圧縮ばね５２が装着されている。即ち、ボルト５１によって弾性体４４がローラ３７の上方に保持され、また圧縮ばね５２によって弾性体４４が胴部２側に付勢されている。ベース板３１の下面には、フレーム５３が固定されている。
【００１５】
次に前記した構造よりなる押し付け装置３０の駆動構造を図１乃至図３により説明する。押し付け装置３０のフレーム５３には押し付け装置作動用シリンダ６０の作動ロッド６０ａが回転自在に連結されている。押し付け装置作動用シリンダ６０の下端部はレバー６１に回転自在に取付けられており、レバー６１は支持板１０に固定されている。押し付け装置作動用シリンダ６０にはガイド板６２が固定されており、ガイド板６２にはガイド棒６３が摺動自在に挿通されている。ガイド棒６３は、上端がベース板３１に固定されている。支持板１０にはガイド板６２のストッパ部６２ａに対応した位置にストッパ支持板６５が固定されており、ストッパ支持板６５にはガイド板６２に向けてストッパ６６が取付けられている。支持板１０にはストッパ部６２ａの下方にばね掛け板６７が固定されており、ストッパ部６２ａとばね掛け板６７には引っ張りばね６８が掛けられ、この引っ張りばね６８の付勢力によってガイド板６２はストッパ６６に圧接している。
【００１６】
次に作用について説明する。まず従来と同様に、図１１に示すように、図示しない着替え位置にある胴部２にワイシャツＹを被せ、襟押え具作動用シリンダ６を作動させ、襟押え具４によりワイシャツＹの襟元を押さえると、胴部２の両側から張出し棒２６、２６が飛び出し、ワイシャツＹの両袖部を拡張した状態で保持する。次に図示しない空気吸引器の吸引作用により、胴部２の吸引通路を吸引させ、ワイシャツＹの布地を胴部２の表面に密着させると同時に、張出し棒２６、２６で押し拡げられたワイシャツＹの両袖部が内側から吸引させて張出し棒２６、２６に密着される。この状態で胴部２を図１に示すプレス位置に移動させ、胴部２に取付けられた図示しない空気袋に空気を導入して空気袋を膨張させてワイシャツを緊張させる。以上は従来と同じ作用である。
【００１７】
次に図１の状態より熱板作動用シリンダ２５が作動する。まず、熱板作動用シリンダ２５は、熱板７Ａを介して押し付け装置３０をワイシャツのボタンホール側に押し付けるように、熱板作動用シリンダ２５の作動ロッドが図１の状態より図５のように突出する。熱板作動用シリンダ２５の作動ロッドが突出すると、作動板１３が時計回転方向に回転して連結レバー１７Ａ、１７Ｂを押し、熱板作動レバー１５Ａ、１５Ｂが支軸１４Ａ、１４Ｂを中心として、熱板作動レバー１５Ａは時計回転方向に、熱板作動レバー１５Ｂは反時計回転方向に回転する。これにより、熱板７Ａは押し付け装置３０を引っ張りばね６８の付勢力に抗して胴部２方向に移動させ、押し付け装置３０の弾性体４４が該押し付け装置３０の圧縮ばね５２の付勢力でワイシャツのボタンホール側を胴部２に押し付ける。
【００１８】
続いて図６に示すように、押し付け装置作動用シリンダ６０の作動ロッド６０ａが第１段まで引っ込んで押し付け装置３０は下降し、弾性体４４はワイシャツのボタンホール側を胴部２に押し付けた状態で下降する。これにより、ボタンホール側が下方に引っ張られ、洗濯により縮んだボタンホール側が伸ばされる。押し付け装置３０には胴部２側及び熱板７Ａ側にそれぞれローラ３７〜４０が設けられているので、前記したように押し付け装置３０が下降する時の抵抗は少なくて済む。
【００１９】
次に図７に示すように、熱板作動用シリンダ２５を前記と逆に作動させて熱板作動用シリンダ２５の作動ロッドを引っ込ませる。これにより、熱板７Ａ、７Ｂは前記と逆に胴部２より離れる方向に作動し、押し付け装置３０も引っ張りばね６８の付勢力で熱板７Ａに追従して胴部２より離れる。続いて図８に示すように、押し付け装置作動用シリンダ６０の作動ロッド６０ａが第２段まで引っ込んで押し付け装置３０は熱板７Ａが干渉しない位置まで下降する。
【００２０】
その後は従来と同様に、図９に示すように、熱板作動用シリンダ２５の作動ロッドが突出して熱板７Ａ、７Ｂにより胴部２を圧着してワイシャツをプレス仕上げする。プレス仕上げが終了すると、胴部２の吸引を遮断し、胴部２表面とワイシャツの密着を解く。続いて熱板作動用シリンダ２５の作動ロッドが引っ込み、図１０に示すように、熱板７Ａ、７Ｂは胴部２より離れて初期の状態となる。続いて押し付け装置作動用シリンダ６０の作動ロッド６０ａが突出し、押し付け装置３０が上昇して初期の図１の状態となる。
【００２１】
このように、本実施の形態においては、押し付け装置３０でワイシャツＹのボタンホール側を胴部２に押し付けて下方に引っ張ってボタンホール側を伸ばした後にワイシャツの胴部のプレス仕上げをするので、前見頃の見栄えが良くなり、プレス仕上げ品質が向上する。
【図面の簡単な説明】
【００２２】
【図１】本発明のワイシャツプレス機の一実施の形態を示す正面図である。
【図２】図１の背面図である。
【図３】図１の要部側面図である。
【図４】押し付け装置を示し（ａ）は拡大正面図、（ｂ）は（ａ）のＡ−Ａ線断面図、（ｃ）は（ａ）のＢ−Ｂ線断面図である。
【図５】熱板が胴立方向に移動し、押し付け装置が胴立に圧着した状態を示す正面図である。
【図６】押し付け装置が下降した状態を示す正面図である。
【図７】熱板及び押し付け装置が胴立から離れた状態を示す正面図である。
【図８】押し付け装置が熱板より下方に移動した状態を示す正面図である。
【図９】熱板が胴立に圧着した状態を示す正面図である。
【図１０】熱板が開いた状態を示す正面図である。
【図１１】胴立にワイシャツを被せた状態の説明図である。
【符号の説明】
【００２３】
Ｙ    ワイシャツ
２    胴部
３    襟当て
４    襟押え具
６    襟押え具作動用シリンダ
７Ａ、７Ｂ    熱板
１２    支軸
１３    作動板
１４Ａ、１４Ｂ    支軸
１５Ａ、１５Ｂ    熱板作動レバー
１７Ａ、１７Ｂ    連結レバー
２５    熱板作動用シリンダ
３０    押し付け装置
３１    ベース板
３２    ローラ支持板
３３〜３６    ローラ軸
３７〜４０    ローラ
４２    回転レバー
４４    弾性体
５２    圧縮ばね
６０    押し付け装置作動用シリンダ
【図１】
2005130903.tif 000003
【図２】
2005130903.tif 000004
【図３】
2005130903.tif 000005
【図４】
2005130903.tif 000006
【図５】
2005130903.tif 000007
【図６】
2005130903.tif 000008
【図７】
2005130903.tif 000009
【図８】
2005130903.tif 000010
【図９】
2005130903.tif 000011
【図１０】
2005130903.tif 000012
【図１１】
2005130903.tif 000013